(57)【要約】【課題】単に、シャッタの半押し後全押しするまでの時間が、所定遅延時間の経過前か経過後かに応じて、シャッタの半押し時の撮影に基づく静止画のみ、又はその静止画及びシャッタの全押し時の撮影に基づく静止画の両方を記録媒体に記録するかを、迅速に切り換える。【解決手段】シャッタの半押し時にスイッチＳ１がＯＮしてから所定の遅延時間Δｔの経過後に静止画撮影を開始させ、シャッタの全押し時にスイッチＳ２がＯＮするまでの間、所定の周期で静止画撮影を行って、最新の前画像保存枚数分を記憶手段に一時的に記憶させ、スイッチＳ１がＯＮしてから所定の遅延時間Δｔの経過前にスイッチＳ２がＯＮされると、そのスイッチＳ２のＯＮ時に撮影した静止画を、スイッチＳ１がＯＮしてから所定の遅延時間Δｔの経過後にスイッチＳ２がＯＮされると、その静止画及び一時的記憶の静止画を記録する。【選択図】          図３
2004228892.tif 000002
【特許請求の範囲】
【請求項１】
撮像素子を用いて被写体を撮像し、該撮像により取得される静止画を記録媒体に記録する電子カメラにおいて、
半押し時にＯＮする第１のスイッチと、全押し時にＯＮする第２のスイッチとを有するシャッタレリーズボタンと、
前記第１のスイッチがＯＮしてから所定の遅延時間の経過後に静止画撮影を開始させ、前記第２のスイッチがＯＮするまでの間、所定の周期で静止画撮影を行い、該静止画撮影によって取得した静止画のうちの最新の前画像保存枚数分の静止画を記憶手段に一時的に記憶させる第１の撮影制御手段と、
前記第１のスイッチがＯＮしてから前記所定の遅延時間の経過前に前記第２のスイッチがＯＮされると、該第２のスイッチのＯＮ時に撮影した静止画を前記記録媒体に記録し、前記第１のスイッチがＯＮしてから前記所定の遅延時間の経過後に前記第２のスイッチがＯＮされると、該第２のスイッチのＯＮ時に撮影した静止画と前記記憶手段に一時的に記憶された静止画とを前記記録媒体に記録させる第２の撮影制御手段と、
を備えたことを特徴とする電子カメラ。
【請求項２】
前記第１のスイッチがＯＮされたのち、前記第２のスイッチがＯＮされる前に該第１のスイッチがＯＦＦされると、前記記憶手段に一時的に記憶された静止画を削除させる削除手段を有することを特徴とする請求項１に記載の電子カメラ。
【請求項３】
前記前画像保存枚数を任意に設定する前画像保存枚数設定手段を有することを特徴とする請求項１又は２に記載の電子カメラ。
【請求項４】
撮像素子を用いて被写体を撮像し、静止画撮影モード時に前記撮像素子から得られる静止画及び動画撮影モード時に前記撮像素子から得られる動画を記録媒体に記録する電子カメラにおいて、
半押し時にＯＮする第１のスイッチと、全押し時にＯＮする第２のスイッチとを有するシャッタレリーズボタンと、
前記動画撮影モード時に前記第１のスイッチがＯＮしてから第２のスイッチがＯＮするまでの間、動画撮影を行わせると共に、該動画撮影により取得した動画のうちの最新の前動画撮影時間分の動画を記憶手段に一時的に記憶させる第１の撮影制御手段と、
前記動画撮影モード時に前記第２のスイッチがＯＮされると、該第２のスイッチが再度ＯＮされるまでの期間、又は第２のスイッチがＯＮされている期間に撮影した動画と前記記憶手段に一時的に記憶された動画とを前記記録媒体に記録させる第２の撮影制御手段と、
を備えたことを特徴とする電子カメラ。
【請求項５】
前記第１のスイッチがＯＮされたのち、前記第２のスイッチがＯＮされる前に該第１のスイッチがＯＦＦされると、前記記憶手段に一時的に記憶された動画を削除させる削除手段を有することを特徴とする請求項４に記載の電子カメラ。
【請求項６】
前記前動画撮影時間を任意に設定する前動画撮影時間設定手段を有することを特徴とする請求項４又は５に記載の電子カメラ。
【発明の詳細な説明】
【０００１】
【発明の属する技術分野】
本発明は電子カメラに係り、特に、撮影開始時点の前後に亘る画像データを記録媒体に記録するようにした電子カメラに関する。
【０００２】
【従来の技術】
特許文献１には、以下に述べる電子スチルカメラが記載されている。即ち、この電子スチルカメラでは、単写モード、連写モード及びシャッタチャンスモードを切り換えるモード設定スイッチを設け、そのモード設定スイッチをシャッタチャンスモードに切り換えたときに、レリーズ釦の半押し状態で、撮影を開始し、レリーズ釦の全押し時を基準に全押し前に撮影された所定枚数の画像と、全押し後に撮影した所定枚数の画像とを記録媒体に記録するようにしている。特に、特許文献１に記載の電子スチルカメラは、シャッタチャンスモード時における撮影モード（マクロモード、人物モード、スポーツモード等）に応じて撮影の時間間隔を変更できるようにしている。
【０００３】
【特許文献１】
特開平１０−２５７３６５号公報
【０００４】
【発明が解決しようとする課題】
しかしながら、特許文献１に記載の電子スチルカメラでは、シャッタチャンスを逃さない撮影を行う場合には、通常モードからシャッタチャンスモードに変更しなければならないので、モード変更の操作が煩雑であると共に、切り換え時間が掛かるため、シャッタチャンスを逃すおそれがある。又、常時シャッタチャンスモードに設定しておくと、毎回複数枚の撮影が行われるため、撮影の無駄が生じる。
【０００５】
かかる点に鑑み、本発明は、モード設定スイッチを操作する煩わしさが無く、単に、シャッタレリーズボタンの半押し後、全押しするまでの時間が、所定遅延時間の経過前か経過後かに応じて、シャッタレリーズボタンの全押し時の撮影に基づく静止画を記録媒体に記録するか、シャッタレリーズボタンの半押し後、全押しするまでの間に行った撮影に基づく画像及びシャッタレリーズボタンの全押し時の撮影に基づく静止画の両方を記録媒体に記録するかを、容易且つ迅速に切り換えることができると共に、シャッタチャンスを逃したり、撮影の無駄が生じたりするおそれの無い電子カメラを提案しようとするものである。
【０００６】
又、本発明は、撮像素子を用いて被写体を撮像し、静止画撮影モード時に撮像素子から得られる静止画及び動画撮影モード時に撮像素子から得られる動画を記録媒体に記録する電子カメラにおいて、シャッタレリーズボタンの半押し後、全押しするまでの間に行った撮影に基づく動画及びシャッタレリーズボタンの全押し後再度シャッタレリーズボタンが全押しされるまでの期間又はシャッタレリーズボタンが全押しされている期間に撮影した動画の両方を記録媒体に記録することのできる電子カメラを提案しようとするものである。
【０００７】
【課題を解決するための手段】
本発明は、撮像素子を用いて被写体を撮像し、その撮像により取得される静止画を記録媒体に記録する電子カメラにおいて、半押し時にＯＮする第１のスイッチと、全押し時にＯＮする第２のスイッチとを有するシャッタレリーズボタンと、第１のスイッチがＯＮしてから所定の遅延時間の経過後に静止画撮影を開始させ、第２のスイッチがＯＮするまでの間、所定の周期で静止画撮影を行い、その静止画撮影によって取得した静止画のうちの最新の前画像保存枚数分の静止画を記憶手段に一時的に記憶させる第１の撮影制御手段と、第１のスイッチがＯＮしてから所定の遅延時間の経過前に第２のスイッチがＯＮされると、その第２のスイッチのＯＮ時に撮影した静止画を記録媒体に記録し、第１のスイッチがＯＮしてから所定の遅延時間の経過後に第２のスイッチがＯＮされると、その第２のスイッチのＯＮ時に撮影した静止画と記憶手段に一時的に記憶された静止画とを記録媒体に記録させる第２の撮影制御手段と、を備えた電子カメラである。
【０００８】
本発明によれば、撮像素子を用いて被写体を撮像し、その撮像により取得される静止画を記録媒体に記録する。シャッタレリーズボタンは、第１及び第２のスッチを有し、第１のスイッチはシャッタレリーズボタンの半押し時にＯＮし、第２のスイッチはシャッタレリーズボタンの全押し時にＯＮする。第１の撮影制御手段は、第１のスイッチがＯＮしてから所定の遅延時間の経過後に静止画撮影を開始させ、第２のスイッチがＯＮするまでの間、所定の周期で静止画撮影を行い、その静止画撮影によって取得した静止画のうちの最新の前画像保存枚数分の静止画を記憶手段に一時的に記憶させる。第２の撮影制御手段は、第１のスイッチがＯＮしてから所定の遅延時間の経過前に第２のスイッチがＯＮされると、その第２のスイッチのＯＮ時に撮影した静止画を記録媒体に記録し、第１のスイッチがＯＮしてから所定の遅延時間の経過後に第２のスイッチがＯＮされると、その第２のスイッチのＯＮ時に撮影した静止画と記憶手段に一時的に記憶された静止画とを記録媒体に記録させる。
【０００９】
上述の本発明の電子カメラにおいて、第１のスイッチがＯＮされたのち、第２のスイッチがＯＮされる前にその第１のスイッチがＯＦＦされると、記憶手段に一時的に記憶された静止画を削除させる削除手段を設けるようにすることが可能である。
【００１０】
上述の本発明の電子カメラにおいて、前画像保存枚数を任意に設定する前画像保存枚数設定手段を設けるようにすることが可能である。
【００１１】
本発明は、撮像素子を用いて被写体を撮像し、静止画撮影モード時に撮像素子から得られる静止画及び動画撮影モード時に撮像素子から得られる動画を記録媒体に記録する電子カメラにおいて、半押し時にＯＮする第１のスイッチと、全押し時にＯＮする第２のスイッチとを有するシャッタレリーズボタンと、動画撮影モード時に第１のスイッチがＯＮしてから第２のスイッチがＯＮするまでの間、動画撮影を行わせると共に、その動画撮影により取得した動画のうちの最新の前動画撮影時間分の動画を記憶手段に一時的に記憶させる第１の撮影制御手段と、動画撮影モード時に第２のスイッチがＯＮされると、その第２のスイッチが再度ＯＮされるまでの期間、又は第２のスイッチがＯＮされている期間に撮影した動画と記憶手段に一時的に記憶された動画とを記録媒体に記録させる第２の撮影制御手段と、を備えた電子カメラである。
【００１２】
本発明の電子カメラによれば、撮像素子を用いて被写体を撮像し、静止画撮影モード時に撮像素子から得られる静止画及び動画撮影モード時に撮像素子から得られる動画を記録媒体に記録する。シャッタレリーズボタンは第１及び第２のスイッチを有し、第１のスイッチは、シャッタレリーズボタン半押し時にＯＮし、第２のスイッチは、シャッタレリーズボタンの全押し時にＯＮする。第１の撮影制御手段は、動画撮影モード時に第１のスイッチがＯＮしてから第２のスイッチがＯＮするまでの間、動画撮影を行わせると共に、その動画撮影により取得した動画のうちの最新の前動画撮影時間分の動画を記憶手段に一時的に記憶させる。動画撮影モード時に第２のスイッチがＯＮされると、第２の撮影制御手段が、その第２のスイッチが再度ＯＮされるまでの期間、又は第２のスイッチがＯＮされている期間に撮影した動画と記憶手段に一時的に記憶された動画とを記録媒体に記録させる。
【００１３】
上述の本発明の電子カメラにおいて、第１のスイッチがＯＮされたのち、第２のスイッチがＯＮされる前にその第１のスイッチがＯＦＦされると、記憶手段に一時的に記憶された動画を削除させる削除手段を設けるようにすることが可能である。
【００１４】
上述の本発明の電子カメラにおいて、前動画撮影時間を任意に設定する前動画撮影時間設定手段を設けるようにすることが可能である。
【００１５】
【発明の実施の形態】
以下に、図面を参照して、本発明の実施の形態の電子カメラの一例を詳細に説明する。図１はデジタルカメラの背面側を示す。そのデジタルカメラの正面側には、図示を省略するも、撮影レンズ、その撮影レンズを通過した被写体光を受光する撮像素子（ＣＣＤ等）が設けられている。
【００１６】
図１において、デジタルカメラの筺体の上面の右端側には、モード設定ダイヤル１及びシャッタレリーズボタン２が設けられている。モード設定ダイヤル１は、静止画を記録する「静止画撮影モード」、撮影毎に新しいファイルを作成して動画を記録する「単独記録モード」、既に記録されている動画ファイルに動画を追加記録する「連続記録モード」等のモードを設定する操作手段であり、設定すべきモードの位置にダイヤルを合わせるように回転操作される。シャッタレリーズボタン２は、静止画の撮影開始を指示する手段であると共に、動画の撮影開始／停止を指示する手段（いわゆる録画スイッチ）として兼用される。シャッタレリーズボタン２は、半押し時にＯＮとなる第１のスイッチと、全押し時にＯＮとなる第２のスイッチとからなる二段式のスイッチを備えている。
【００１７】
デジタルカメラの筺体の背面上において、３はファインダ接眼部である。４、５は、それぞれシフトキー及び表示キーである。６は、撮影モード／再生モード切り換えレバーである。ＰＷは電源スイッチで、切り換えレバー６の回動中心部に設けられ、その押圧毎に電源のオンオフが行われる。７、８は、それぞれキャンセルキー及び実行キーである。９、９はマルチファンクションの十字キーである。５４は液晶モニタである。
【００１８】
図２は、デジタルカメラの回路構成を概要を示し、以下、これについて説明する。撮影レンズ１０を通過した光は、絞り１２によって光量が調節された後、ＣＣＤ固体撮像素子（以下、ＣＣＤという。）１４に入射される。尚、ＣＣＤ１４に代えてＣＭＯＳイメージセンサその他の撮像デバイスを用いてもよい。
【００１９】
ＣＣＤ１４の受光面は多数のフォトセンサが平面的に配列され、ベイヤー配列その他の所定のカラーフィルター配列構造を備えている。撮影レンズ１０を介してＣＣＤ１４の受光面に結像された被写体の光学像は、各フォトセンサによって入射光量に応じた量の信号電荷に変換される。各フォトセンサに蓄積された信号電荷は、ＣＣＤ駆動回路１６から加えられるリードゲートパルスによってシフトレジスタに読み出され、レジスタ転送パルスによって信号電荷に応じた電圧信号として順次読み出される。
【００２０】
このＣＣＤ１４は、蓄積した信号電荷をシャッターゲートパルスによって掃き出すことができ、これにより電荷の蓄積時間（シャッタースピード）を制御する電子シャッター機能を有している。また、ＣＣＤ１４は、受光面のフォトセンサから信号電荷を読み出す際に、垂直方向に間引きして読み出す機能を有している。そして、動画記録時は垂直方向に間引いて読み出し、静止画記録時（高画素記録時）は間引かずに全画素のデータを読み出す。
【００２１】
ＣＣＤ１４から順次読み出された電圧信号は、相関二重サンプリング回路（ＣＤＳ回路）１８に加えられ、ここで各画素毎のＲ、Ｇ、Ｂ信号がサンプリングホールドされ、Ａ／Ｄ変換器２０に加えられる。Ａ／Ｄ変換器２０は、ＣＤＳ回路１８から順次加えられるＲ、Ｇ、Ｂ信号をデジタル信号に変換して出力する。尚、ＣＣＤ駆動回路１６、ＣＤＳ回路１８及びＡ／Ｄ変換器２０は、タイミング発生回路２２から加えられるタイミング信号によって同期して駆動される。
【００２２】
Ａ／Ｄ変換器１８から出力されたＲ、Ｇ、Ｂ信号は、一旦メモリ２４に格納され、その後、メモリ２４に格納されたＲ、Ｇ、Ｂ信号は、デジタル信号処理回路２６に加えられる。デジタル信号処理回路２６は、同時化回路２８、ホワイトバランス調整回路３０、ガンマ補正回路３２、Ｙ／Ｃ信号作成回路３４、及びメモリ３６等から構成されている。
【００２３】
同時化回路２８は、メモリ２４から読み出された点順次のＲ、Ｇ、Ｂ信号を同時式に変換し、Ｒ、Ｇ、Ｂ信号を同時にホワイトバランス調整回路３０に出力する。ホワイトバランス調整回路３０は、Ｒ、Ｇ、Ｂ信号のデジタル値をそれぞれ増減するための乗算器３０Ｒ、３０Ｇ、３０Ｂから構成されており、Ｒ、Ｇ、Ｂ信号は、それぞれ乗算器３０Ｒ、３０Ｇ、３０Ｂに加えられる。乗算器３０Ｒ、３０Ｇ、３０Ｂの他の入力には、中央処理装置（ＣＰＵ）（コンピュータ）３８からホワイトバランス制御するためのホワイトバランス補正値（ゲイン値）が加えられており、乗算器３０Ｒ、３０Ｇ、３０Ｂはそれぞれ２入力を乗算し、この乗算によってホワイトバランス調整されたＲ′、Ｇ′、Ｂ′信号をガンマ補正回路３２に出力する。
【００２４】
ガンマ補正回路３２は、ホワイトバランス調整されたＲ′、Ｇ′、Ｂ′信号が所望のガンマ特性となるように入出力特性を変更し、Ｙ／Ｃ信号作成回路３４に出力する。Ｙ／Ｃ信号作成回路３４は、ガンマ補正されたＲ、Ｇ、Ｂ信号から輝度信号Ｙとクロマ信号Ｃｒ、Ｃｂとを作成する。これらの輝度信号Ｙとクロマ信号Ｃｒ、Ｃｂ（ＹＣ信号）は、メモリ２４と同じメモリ空間のメモリ３６に格納される。
【００２５】
撮影時にメモリ３６に格納されたＹＣ信号は、圧縮／伸長回路５６に加えられる。圧縮／伸長回路５６の他の入力には、ＣＰＵ３８から予め設定された画質（ノーマル、ファイン等の圧縮率）を示す情報が加えられており、圧縮／伸長回路５６は、ＹＣ信号を設定された画質の圧縮率で圧縮する。ＪＰＥＧアルゴリズムでは、ＹＣ信号を８×８画素のブロックに分割し、各ブロックのデータを離散コサイン変換した後、圧縮率毎に準備されている量子化テーブルで除算する。更に、量子化されたデータをハフマンテーブルで符号化する。
【００２６】
このようにして符号化されたデータは、メディアコントローラ６０、カードインターフェース６２を通じて、記録媒体、即ち、スマートメディア、コンパクトフラッシュなどの半導体メモリカード６４に記録される。尚、記録媒体としてのメモリカード６４の代わりに、ＣＤ−Ｒ、ＤＶＤ−Ｒなどの円盤状の光磁気ディスクその他の記録媒体も可能である。記録媒体はリムーバブルメディアに限定されず、カメラに内蔵された記録媒体（内部メモリなど）であってもよい。
【００２７】
ＣＰＵ３８は、カメラの各部を制御する制御部であり、所定のプログラムに従ってカメラ全体の動作を制御する。ＣＰＵ３８は、図１に示したモード設定ダイヤル１、十字キー９その他の各種の操作手段を含むカメラ操作部４０からの操作入力信号に基づいて各回路を統括制御し、オートフォーカス（ＡＦ）制御、自動露出（ＡＥ）制御、オートホワイトバランス（ＡＷＢ）、画像信号の処理制御、記録媒体の読み書き制御、液晶モニタ５４における表示制御等の各種制御を行う。シャッタレリーズボタン２は、シャッタレリーズボタン２を半押ししたときＯＮとなる第１のスイッチＳ１と、シャッタレリーズボタン２を全押ししたときＯＮとなる第２のスイッチＳ２とを備え、その両スイッチ信号は、ＣＰＵ３８に供給される。
【００２８】
オートフォーカス制御は、例えばＧ信号の高周波成分が最大になるように撮影レンズ１０を移動させるコントラストＡＦであり、シャッタレリーズボタン２の半押し時にＧ信号の高周波成分が最大になるように駆動部４２を介して撮影レンズ１０を合焦位置に移動させる。
【００２９】
また、自動露出制御は、Ｒ、Ｇ、Ｂ信号を取り込み、これらのＲ、Ｇ、Ｂ信号の積算値に基づいて被写体輝度（撮影ＥＶ値）を求め、この撮影ＥＶ値に基づいて撮影時の絞り値とシャッタースピードを決定する。そして、静止画撮影モード時には、シャッタレリーズボタン２の全押し時に前記決定した絞り値になるように絞り駆動部４４を介して絞り１２を駆動し、また、決定したシャッタースピードとなるように電子シャッターによって電荷の蓄積時間を制御して１コマ分の画像データを取り込み、所要の信号処理を行った後、メモリカード６４に記録する。
【００３０】
尚、始めの露光は、予め決められた露光値で行われる。又、各分割エリア毎のＲ、Ｇ、Ｂ信号の平均演算値は、積算回路４８によって算出された後、ＣＰＵ３８に加えられている。積算回路４８とＣＰＵ３８との間には、乗算器５０Ｒ、５０Ｇ、５０Ｂが設けられており、乗算器５０Ｒ、５０Ｇ、５０Ｂには、機器のバラツキを調整するための調整ゲイン値が加えられるようになっている。
【００３１】
次に、上記の如く構成されたカメラ１によって動画を記録するときの動作について説明する。動画を撮影するときは、モード設定ダイヤル１を「単独記録モード」又は「連続記録モード」に合わせる。かかるダイヤル操作によってカメラは動画記録可能なモード（動画撮影記録モード）にセットされる。この場合、シャッタレリーズボタン２をワンプッシュすると、動画の撮影がスタートし、例えば、１秒間に３０コマのフレームレートで画像データがメモリ２４に取り込まれ、シャッタレリーズボタン２を再度ワンプッシュすると、動画の撮影が終了する。又、シャッタレリーズボタン２を押圧（プッシュ）している間、動画の撮影が行われ、その押圧（プッシュ）を解除すると、動画の撮影が終了するようにすることも可能である。尚、シャッタレリーズボタン２を再度ワンプッシュしない場合でもメモリ２４の容量が一杯になると、自動的に動画の撮影が終了する。
【００３２】
動画の撮影が終了すると、続いて前記メモリ２４に一時記憶された画像データの信号処理や圧縮処理等が行われ、所定のファイル形式で記録媒体に記録される。本例ではＭｏｔｉｏｎ  ＪＰＥＧ  形式で記録するが、ファイル形式はこれに限定されず、ＭＰＥＧなど他のファイル形式を適用してもよい。
【００３３】
次に、動画撮影時の記録条件の設定方法及び連続記録モード時に使用する既存の動画のファイルの選択方法をについて説明する。いま、モード設定ダイヤル１によって連続記録モードを設定し、セットアップボタン（図示せず）を操作すると、ＲＯＭ５８から画質、画素数及びフレームレートなどの記録条件や連結画を選択するためのセットアップ画面が読み出され、このセットアップ画面がミクサ５２を介して液晶モニタ５４に表示される。
【００３４】
次に、図３を参照して、デジタルカメラの主要部の構成及び動作を説明する。ステップＳ１０で、デジタルカメラの電源の投入（電源スイッチＰＷの押圧）等によって、撮影が開始される。ステップＳ１０の次は、ステップＳ１２に移行する。ステップＳ１２では、上述のカメラ操作部４０に追加する如く設けた単写及び連写モード時に使用される前画像保存枚数設定入力手段及び動画モード時に使用される前動画撮影時間設定入力手段と、前画像保存枚数設定入力手段及び前動画撮影時間設定入力手段にそれぞれ対応して、前画像保存枚数記憶手段及び前動画撮影時間記憶手段をＣＰＵ３８の機能の一部としてＣＰＵ３８に設けて、それぞれ所望の前画像保存枚数及び所望の前動画撮影時間を設定し得るようにする。
【００３５】
ステップＳ１２の次は、ステップＳ１４に移行して、ＣＰＵ３８によって、シャッタレリーズボタン２が半押しされたときにＯＮとなる第１のスイッチＳ１はＯＮか否かを判別する。ステップＳ１４の判別結果がＮＯときは、ステップＳ１４に戻って、待機する。ステップＳ１４の判別結果がＹＥＳのときは、ステップＳ１６に移行する。
【００３６】
ステップＳ１６では、ＣＰＵ３８によって、シャッタレリーズボタン２が全押しされたときにＯＮとなる第２のスイッチＳ２がＯＮであるか否かを判別する。ステップＳ１６の判別結果がＹＥＳのときは、ＣＰＵ３８の制御によって、ステップＳ１８の本撮影に移行して、ＣＣＤ１４による撮影を行わせる。ステップＳ１８の次は、ステップＳ２０に移行して、ＣＰＵ３８の制御によって、全ての画像データ（デジタル信号処理回路２６よりの画像データ）を記録媒体、即ち、メモリカード６４に記録する。
【００３７】
ステップＳ１６の判別結果がＮＯのときは、ステップＳ２２に移行して、ＣＰＵ３８によって、第１のスイッチＳ１がＯＦＦからＯＮになった時点から所定遅延時間Δｔが経過したか否かを判別する。ステップＳ２２の判別結果がＮＯのときは、ステップＳ１６に移行する。ステップＳ２２の判別結果がＹＥＳのときは、ステップＳ２４の前撮影に移行して、ＣＣＤ１４による撮影を開始させる。ステップＳ２４の次は、ステップＳ２６に移行して、前画像として画像データ（デジタル信号処理回路２６よりの画像データ）をメモリ２４に保存する。
【００３８】
ステップＳ２６の次は、ステップＳ２８に移行して、ＣＰＵ３８によって、シャッタレリーズボタン２を半押ししたときにＯＮとなる第１のスイッチＳ１はＯＮか否かを判別する。ステップＳ２８の判別結果がＮＯのときは、ステップＳ３０に移行して、メモリ２４に保存されている全画像データを削除した後、ステップＳ１４に移行する。
【００３９】
ステップＳ２８の判別結果がＹＥＳのときは、ステップＳ１６に移行する。ステップＳ１６の判別結果がＮＯのときは、ステップＳ２２に移行し、ＹＥＳのときはステップＳ１８の本撮影に移行して、ＣＣＤ１４による撮影を行わせる。
【００４０】
画像データが静止画の場合は、第１のスイッチＳ１がＯＮとなり、その後、所定の遅延時間Δｔが経過してから、第２のスイッチＳ２がＯＮになるまでの間、所定の周期で静止画撮影が行われ、その静止画撮影によって所得した静止画のうちの最新の前画像保存枚数の静止画が、メモリ２４に一時的に記憶される。
【００４１】
画像データが動画の場合は、第１のスイッチＳ１がＯＮとなり、その後、所定の遅延時間Δｔが経過してから、第２のスイッチＳ２がＯＮになるまでの間、動画撮影が行われ、動画撮影により取得した動画のうちの最新の前動画撮影時間分の動画が、メモリ２４に一時的に記憶される。
【００４２】
尚、画像データが動画の場合は、ステップＳ２２を省略し、ステップＳ１６の判別結果がＮＯのときに、直ちにステップＳ２４に移行させるようにしても良い。この場合には、第１のスイッチＳ１がＯＮしてから、第２のスイッチＳ２がＯＮになるまでの間、動画撮影が行われ、動画撮影により取得した動画のうちの最新の前動画撮影時間分の動画が、メモリ２４に一時的に記憶される。
【００４３】
ステップＳ１８の次は、ステップＳ２０に移行して、ＣＰＵ３８の制御によって、全ての画像データが記録媒体、即ち、メモリカード６４に記録される。画像データが静止画である場合は、第２のスイッチＳ２のＯＮ時に撮影された静止画及びメモリ２４に記憶されている静止画が、メモリカード６４に記録される。
【００４４】
画像データが動画である場合は、第２のスイッチＳ２がＯＮされてから、第２のスイッチＳ２が再度ＯＮされるまでの期間、又は第２のスイッチＳ２がＯＮされている期間に撮影した動画と、メモリ２４に一時的に記憶された動画とが、メモリカード６４に記録される。
【００４５】
【発明の効果】
本発明によれば、撮像素子を用いて被写体を撮像し、その撮像により取得される静止画を記録媒体に記録する電子カメラにおいて、半押し時にＯＮする第１のスイッチと、全押し時にＯＮする第２のスイッチとを有するシャッタレリーズボタンと、第１のスイッチがＯＮしてから所定の遅延時間の経過後に静止画撮影を開始させ、第２のスイッチがＯＮするまでの間、所定の周期で静止画撮影を行い、その静止画撮影によって取得した静止画のうちの最新の前画像保存枚数分の静止画を記憶手段に一時的に記憶させる第１の撮影制御手段と、第１のスイッチがＯＮしてから所定の遅延時間の経過前に第２のスイッチがＯＮされると、その第２のスイッチのＯＮ時に撮影した静止画を記録媒体に記録し、第１のスイッチがＯＮしてから所定の遅延時間の経過後に第２のスイッチがＯＮされると、その第２のスイッチのＯＮ時に撮影した静止画と記憶手段に一時的に記憶された静止画とを記録媒体に記録させる第２の撮影制御手段と、を備えるので、モード設定スイッチを操作する煩わしさが無く、単に、シャッタレリーズボタンの半押し後、全押しするまでの時間が、所定遅延時間の経過前か経過後かに応じて、シャッタレリーズボタンの全押し時の撮影に基づく静止画を記録媒体に記録するか、シャッタレリーズボタンの半押し後、全押しするまでの間に行った撮影に基づく静止画及びシャッタレリーズボタンの全押し時の撮影に基づく静止画の両方を記録媒体に記録するかを、容易且つ迅速に切り換えることのできる電子カメラを得ることができる。
【００４６】
このため、本発明によれば、シャッタレリーズボタンの全押し時の撮影に基づく静止画を記録媒体に記録するモードから、シャッタレリーズボタンの半押し後、全押しするまでの間に行った撮影に基づく静止画及びシャッタレリーズボタンの全押し時の撮影に基づく静止画の両方を記録媒体に記録するモードへの切換が迅速に行われるので、シャッタチャンスを逃すおそれは全くない。
【００４７】
更に、本発明によれば、シャッタレリーズボタンの半押し後、全押しするまでの間に行った撮影に基づく静止画及びシャッタレリーズボタンの全押し時の撮影に基づく静止画の両方を記録媒体に記録するモードから、シャッタレリーズボタンの全押し時の撮影に基づく静止画を記録媒体に記録するモードへの切換が迅速に行われるので、常時、シャッタレリーズボタンの半押し後、全押しするまでの間に行った撮影に基づく静止画及びシャッタレリーズボタンの全押し時の撮影に基づく静止画の両方を記録媒体に記録するモードにしておくことによる撮影の無駄を生じるおそれは全くない。
【００４８】
本発明によれば、撮像素子を用いて被写体を撮像し、静止画撮影モード時に撮像素子から得られる静止画及び動画撮影モード時に撮像素子から得られる動画を記録媒体に記録する電子カメラにおいて、半押し時にＯＮする第１のスイッチと、全押し時にＯＮする第２のスイッチとを有するシャッタレリーズボタンと、動画撮影モード時に第１のスイッチがＯＮしてから第２のスイッチがＯＮするまでの間、動画撮影を行わせると共に、その動画撮影により取得した動画のうちの最新の前動画撮影時間分の動画を記憶手段に一時的に記憶させる第１の撮影制御手段と、動画撮影モード時に第２のスイッチがＯＮされると、その第２のスイッチが再度ＯＮされるまでの期間、又は第２のスイッチがＯＮされている期間に撮影した動画と記憶手段に一時的に記憶された動画とを記録媒体に記録させる第２の撮影制御手段と、を備えているので、撮像素子を用いて被写体を撮像し、静止画撮影モード時に撮像素子から得られる静止画及び動画撮影モード時に撮像素子から得られる動画を記録媒体に記録する電子カメラにおいて、シャッタレリーズボタンの半押し後、全押しするまでの間に行った撮影に基づく動画及びシャッタレリーズボタンの全押し後再度シャッタレリーズボタンが全押しされるまでの期間又はシャッタレリーズボタンが全押しされている期間に撮影した動画の両方を記録媒体に記録することのできる電子カメラを得ることができる。
【図面の簡単な説明】
【図１】本発明の実施の形態の一例のデジタルカメラの背面図である。
【図２】そのデジタルカメラの回路構成例を示すブロック図である。
【図３】そのデジタルカメラの動作説明に供するフローチャートである。
【符号の説明】
２…シャッタレリーズボタン、Ｓ１…第１のスイッチ、Ｓ２…第２のスイッチ、３８…ＣＰＵ
【図１】
2004228892.tif 000003
【図２】
2004228892.tif 000004
【図３】
2004228892.tif 000005